(57)【要約】【課題】  投光器本体と本体支持具とで構成し、これを容易に着脱自在とすることができる投光器を実現する。【解決手段】  投光器本体１の一部に、外表面に一定間隔で環状方向の凹溝４を形成した円筒部３を形成する。本体支持具２には、左右両側から投光器本体１の円筒部３を抱持する円弧状の抱持片５を形成する。抱持片５の内面に、投光器本体の円筒部に形成した凹溝４に嵌合する突出部を形成する。左右の抱持片の先端と先端の間には、弾性変形によって投光器本体の円筒部を通過させることができる開口部を形成する。投光器本体１の円筒部３を抱持片の開口部に押圧すると、抱持片が開いて円筒部が抱持されるとともに、抱持片の内面に形成した突出部が凹溝４に嵌合して軸方向の遊動が阻止される。【選択図】  図１
0003116708.tif 000002
【実用新案登録請求の範囲】
【請求項１】
投光器本体と投光器本体を支持する本体支持具とで構成し、投光器本体の一部に、外表面に一定間隔で環状方向の凹溝を形成した円筒部を形成するとともに、
本体支持具の一部に、弾性材料によって左右両側から投光器本体の円筒部を抱持する形状である円弧状の抱持片を形成し、該抱持片の内面に、投光器本体の円筒部に形成した凹溝に嵌合する突出部を形成し、
左右の抱持片の先端と先端の間に、前記、投光器本体の円筒部の直径よりも狭い間隔であって弾性変形によって投光器本体の円筒部を通過させることができる開口部を形成したことを特徴とする投光器。
【請求項２】
左右の抱持片は一体的に連続させ、抱持片の先端と先端の開口部の開口角度αが略90度であるこことを特徴とする請求項１記載の投光器。
【請求項３】
投光器本体に形成される円筒部の軸方向寸法に対して、本体支持具の抱持片の軸方向寸法が短く、前記円筒部の全長にわたって一定間隔で複数の凹溝を形成することによって、円筒部の複数位置において、本体支持具の抱持片を係止可能としたことを特徴とする請求項１又は２記載の投光器。
【請求項４】
本体支持具に形成する抱持片の内面に、軸方向の複数位置に突出部を形成し、投光器本体の円筒部に形成した複数の凹溝に嵌合して係止されることを特徴とする請求項１ないし３のいずれかに記載の投光器。
【請求項５】
本体支持具は、クリップ状の支持具本体と抱持片を別体に形成して支持具本体と抱持片をボールジョイントで連結し、抱持片は弾性を有する合成樹脂材で、ボールジョイントを構成するボールを二分する位置で分割成型し、該分割成型した抱持片を接続して一体の抱持片を形成することを特徴とする請求項１ないし４のいずれかに記載の投光器。
【考案の詳細な説明】
【技術分野】
【０００１】
この考案は、光源やリフレクタを備えた投光器本体と、投光器本体を支持する本体支持具とで構成する投光器に関する考案である。
【背景技術】
【０００２】
屋内外において、照明が必要な場合に各種の投光器が使用され、その多くは目的に合わせて光源や投光器が設計されるのが普通である。屋外や屋内において汎用的に使用することができる投光器として、クリッブ付きの投光器本体(ソケット)に光源となる電球を装着して使用するものやスタンド付きの投光器などが利用されている。
【考案の開示】
【考案が解決しようとする課題】
【０００３】
従来のクリップ付き汎用の投光器は、リフレクタがセットされた小さなソケット、もしくはソケット部分のみの投光器本体にクリップが固定されているため、クリップのない状態で、例えば投光器本体を手で持って使用することができなかった。また、クリップによって投光器を固定する場合に、固定しようとするものの形状や寸法によって、目的物に向けて投光器を正しい姿勢で固定することが困難な場合があった。
【０００４】
上記、従来技術の欠点を解消するため、本考案は、投光器を投光器本体と本体支持具とで構成し、これを着脱自在とすることで、クリップなどの本体支持具が装着されていない投光器本体を手で持って使用することができる投光器を提供することを目的とするものである。また、本考案の他の目的は、投光器本体と本体支持具を確実かつ簡単に着脱することができる、使い勝手のよい簡易な投光器を実現することである。
【課題を解決するための手段】
【０００５】
上記目的を達成するため、本考案に係る投光器は、投光器本体１と投光器本体を支持する本体支持具２とで構成する。請求項１記載の考案は、投光器本体１の一部に、外表面に一定間隔で環状方向の凹溝４を形成した円筒部３を形成する。一方、本体支持具２の一部には、弾性材料によって左右両側から投光器本体１の円筒部３を抱持する形状である円弧状の抱持片５を形成し、抱持片５の内面に、投光器本体１の円筒部３に形成した凹溝４に嵌合する突出部６、具体的には環状の突条を形成する。
このとき、抱持片５の、右抱持片5aと左抱持片5bの先端と先端の間に、投光器本体１の円筒部３の直径よりも狭い間隔であって弾性変形によって投光器本体１の円筒部３を通過させることができる開口部７を形成しておく。
【０００６】
請求項２記載の考案は、右抱持片5a及び左抱持片5bを一体的に連続させ、左右の抱持片の先端と先端の開口部の、開口角度αを略90度とすることである。
また、請求項３記載の考案は、投光器本体１に形成される円筒部３の軸方向寸法、すなわち円筒部３の長さを長く、本体支持具２の抱持片５の軸方向寸法を短くし、円筒部３の全長にわたって一定間隔で複数の凹溝４を形成することによって、円筒部３の複数位置において、本体支持具の抱持片５を係止可能とすることである。
【０００７】
請求項４記載の考案は、本体支持具２に形成する抱持片５の内面に、軸方向の複数位置に突出部６を形成し、投光器本体１の円筒部３に形成した複数の凹溝４に嵌合して係止されること、請求項５記載の考案は、本体支持具２を、クリップ状の支持具本体８と抱持片５を別体に形成して支持具本体８と抱持片５をボールジョイントで連結し、抱持片５は弾性を有する合成樹脂材で、ボールジョイントを構成するボール９を二分する位置で分割成型し、分割成型した抱持片を接続して一体の抱持片５を形成することである。
【考案の効果】
【０００８】
請求項１記載の本考案投光器によれば、投光器本体１と本体支持具２を自由に着脱し、光源がセットされる投光器本体１を手にもって、懐中電灯のように扱うことができる。そして、投光器本体１と本体支持具２は、抱持片５の弾性によってしっかりと保持することができるとともに、投光器本体１の凹溝４と抱持片５の突出部の嵌合によって、投光器本体１が本体支持具２に対して軸方向に遊動して脱落することがなく、確実に装着状態を維持することができる。
【０００９】
請求項２記載の考案によれば、抱持片５部分の構造を簡単に構成することができるとともに、開口部７の開口角度αを略90度とすることによって、投光器本体１を抱持片５の開口部７に押し付けることによって、抱持片５を効果的に広げて装着することができるとともに、本体支持具２に装着した投光器本体１を確実に保持することができる。
【００１０】
請求項３記載の考案によれば、本体支持具２の抱持片の軸方向寸法と比較して長寸法である投光器本体１の、円筒部３の任意位置にずらせて投光器本体１と本体支持具２を係止させることができるため、クリップなどで固定した本体支持具２の固定場所の状況に対応して、投光器本体１の固定が容易なものとなる。また、相対的に投光器本体１の円筒部３の軸方向寸法が長くなるため、この部分を容易に把持することができる。
【００１１】
請求項４記載の考案によれば、投光器本体１の円筒部３に形成した複数の凹溝に、軸方向の複数位置において抱持片５の突出部を嵌合させるため、投光器本体１と本体支持具２を安定良く固定することができる。また、請求項５記載の考案によれば、クリップ状の支持具本体と抱持片とによって構成し、かつ支持具本体と抱持片をボールジョイントで連結する構造の、ボール９を含む抱持片５を、合成樹脂材に容易に製造することができる。
【考案を実施するための最良の形態】
【００１２】
以下、本考案に係る投光器の好ましい実施形態を添付の図面に基づいて説明する。
図１は、本考案に係る投光器全体の正面図である。本考案に係る投光器は、投光器本体１と本体支持具２とで構成する。投光器本体１は、円筒部３の前端に位置するソケットに電球などの光源を装着するとともに、その外方にリフレクタ10で装着している。さらに、リフレクタ10の外方にはガードカバー11を配置し、光源部分を保護している。図示実施形態の投光器では、ガードカバー11の構造を、基端のネジ部11aとリフレクタ10の前端を保持させる固定リング11bの中間を格子部11cで連続させ、基端のネジ部11aを円筒部３の先端に螺着している。格子部11cの上辺には、フック12を設け、投光器本体１を吊るして使用することができるようにしている。
【００１３】
投光器本体１の円筒部３は、その全長を手で把持し易い程度の長さ及び直径とし、その外表面に、一定間隔で複数の環状の凹溝４，４を形成している。また、円筒部３の上辺には、光源を入り切りさせるスイッチ13を配置している。
【００１４】
本体支持具２は、クリップ構造の支持具本体８と抱持片５とで構成している。支持具本体８には支持台14が固定してあり、この支持台14に抱持片５を支持させる。具体的には、支持具本体８に固定された支持台14の先端に、ボールジョイント15が設けてあり、抱持片５に突出形成したボール９を支持させることによって、支持具本体８に対する抱持片の角度、換言すれば本体支持具２に対する投光器本体１の取り付け角度を自由に変更することができる。ボールジョイント15には、固定ネジ16が設けてあり、投光器本体を所望の方向に向けた状態で固定することができるようにしてある。
【００１５】
図２は、抱持片５と投光器本体１の円筒部３の関係を示す側面図、図３は抱持片５に投光器本体１の円筒部３を装着した状態の縦断面図、図４は、図３のIV−IV線断面図である。
抱持片５は、弾性材料によって左右両側から投光器本体の円筒部３を抱持する形状とする。すなわち、右抱持片5aと左抱持片5bは、それぞれ対称的な円弧状に形成し、左右の抱持片の先端と先端の間に、投光器本体１の円筒部３の直径よりも狭い間隔であって弾性変形によって投光器本体の円筒部３を通過させることができる開口部７を形成している。また、左右の抱持片の内面には、前記した円筒部３の凹溝に嵌合する突出部６、具体的には円周方向の突条を設けている。
【００１６】
右抱持片5a及び左抱持片5bは、それぞれ弾性材料、例えばバネ鋼板によって別体に形成してもよいが、図示実施形態では、左右の抱持片を一体的に連続させ、抱持片の先端と先端の開口部の開口角度αを略90度としている。左右の抱持片を一体で構成するには、例えば弾性を有する硬質の合成樹脂材によって成型する。この場合、ボールジョイントを構成するボール９を一体に成型するとよい。
なお、右抱持片5a及び左抱持片5bはそれぞれ、図２に点線で示す厳密な円弧位置ではなく、正確な円弧よりも内側に位置する形状に形成してある。
【００１７】
図２に白矢印で示すように、抱持片５の開口部７に投光器本体１の円筒部３を押圧すると、抱持片５の開口部先端が円筒部３に対して接点17で接触する。そして、接点17と17の角度αが略90度であることから、左右の抱持片に対しては略45度の角度で当接することになる。したがって、図２に黒矢印で示すように、押圧力Ｆによって比較的大きな力である開放力F1が発生し、左右の抱持片を効果的に押し広げて円筒部３をスムーズに装着することができることになる。円筒部３と抱持片５が一旦装着されると、その開口角度が略90度程度であるから十分に保持状態を維持し、妄りに脱落することがない。取り外す場合は、前記場合とは逆に、投光器本体１と本体支持具２を引き離す方向に引っ張ると、抱持片５が広がり、投光器本体１と本体支持具２を容易に分離させることができる。
【００１８】
投光器本体１の円筒部３に抱持片５が装着されると、抱持片５の弾性力によってしっかりと抱持されるとともに、図３に示すように円筒部３の凹溝４に抱持片５の突出部６が嵌合する。そのため、円筒部３と抱持片５の相対的な軸方向の移動が阻止され、抱持片が円筒部に対して軸方向に遊動しない状態で確実に装着される。
【００１９】
抱持片５に形成する突出部６は、一条であってもよいが、図示実施形態では、突出部６として抱持片５の内面に、二条の凸条を形成している。一条の凸条で嵌合する場合は、多少安定性に欠ける欠点があるが、図示実施形態のように、二条の凹溝に、それぞれ凸条を嵌合させる場合は、図４に示すように全体で嵌合して装着されるため、ガタツクことなく安定良く装着することができる。
【００２０】
しかしながら、円弧状の抱持片の内面に二条の突出部を形成する構造を、合成樹脂材で一体成型することは、金型から抜くことが困難であり、経済的に製造することができなくなる。そこで、図示実施形態では、図４に示すように抱持片５を軸方向の中間位置で二分する如く、分割成型している。このとき、抱持片５に一体成型する、ボールジョイントを構成するためのボール９も二分する状態で成型する。これにより、成型が困難な抱持片５内面に複数の突出部６，６を、成型することができるとともに、成型が困難な球状のボールを比較的正確な球状に成型することができる。換言すれば、図示形状の投光器を安価に提供することが可能となる。分離成型した抱持片５は、ビス18によってネジ止めして組立てることができる。
【００２１】
以上述べた、図示実施形態では、本体支持具２の支持具本体８をクリップ状とし、抱持片５と支持具本体８をボールジョイント15で連結する構造としているが、例えば支持具本体をスタンドや台座とし、支持具本体に対して抱持片５を軸支するような構造として実施することも可能である。
【図面の簡単な説明】
【００２２】
【図１】図１は、本考案に係る投光器全体の正面図である
【図２】図２は、抱持片と投光器本体の円筒部の関係を示す側面図、
【図３】図３は、抱持片に投光器本体の円筒部を装着した状態の縦断面図、
【図４】図４は、図３のIV−IV線断面図である。
【符号の説明】
【００２３】
１…投光器本体、  ２…本体支持具、  ３…円筒部、  ４…凹溝、  ５…抱持片、  5a…右抱持片、  5b…左抱持片、  ６…突出部、  ７…開口部、  ８…支持具本体、  ９…ボール、  10…リフレクタ、  11…ガードカバー、  11a…ネジ部、  11b…固定リング、  11c…格子部、  12…フック、  13…スイッチ、  14…支持台、  15…ボールジョイント、  16…固定ネジ、  17…接点、  18…ビス。
【図１】
0003116708.tif 000003
【図２】
0003116708.tif 000004
【図３】
0003116708.tif 000005
【図４】
0003116708.tif 000006